(57)【要約】【課題】ユーザが所望する場所で水活性化処理を行うことができる水活性化装置を実現する。【解決手段】水活性化装置１００が備える漏斗部材２０の注水口２０ｂから水を流し入れて通水管部２０ａ内を通し、流出口２０ｃから流れ出る処理水を得るように、その水活性化装置１００における一対の永久磁石１のＮ極の磁気作用面１ａとＳ極の磁気作用面１ａとの間に水を流して通過させることで、その水の活性化処理を行うことを可能にすることによって、ユーザが、この水活性化装置１００を用いて所望する場所で水活性化処理を行うことを可能にした。【選択図】図７
2008264648.tif 000002
【特許請求の範囲】
【請求項１】
Ｎ極の磁気作用面と、Ｓ極の磁気作用面とを対向させる一対の永久磁石と
前記各永久磁石毎に、前記磁気作用面を挟みその磁気作用面に対して略垂直に配される一対の非磁性導電性金属板と、
前記各永久磁石毎に、前記永久磁石の磁気作用面の反対面側に配されて、その両端部が前記非磁性導電性金属板と略平行に前記磁気作用面側に折曲されているヨークと、
前記一対の永久磁石におけるＮ極の磁気作用面とＳ極の磁気作用面との間を通過するように配されて、一方の端部が他方の端部より大きく開口する管状部材と、
を備えることを特徴とする水活性化装置。
【請求項２】
前記Ｎ極の磁気作用面を有する永久磁石とその永久磁石に配される前記一対の非磁性導電性金属板と前記ヨークと、前記Ｓ極の磁気作用面を有する永久磁石とその永久磁石に配される前記一対の非磁性導電性金属板と前記ヨークとは、それぞれ異なるハウジングに収容され、
前記Ｎ極の磁気作用面を有する永久磁石が収容された一方のハウジングと、前記Ｓ極の磁気作用面を有する永久磁石が収容された他方のハウジングとの間に、前記管状部材が着脱可能に備えられることを特徴とする請求項１に記載の水活性化装置。
【請求項３】
前記管状部材の他方の端部には、当該管状部材が一方の端部側に抜け出ないように前記ハウジングに当接するストッパ部が形成されていることを特徴とする請求項２に記載の水活性化装置。
【発明の詳細な説明】
【技術分野】
【０００１】
本発明は、水活性化装置に関する。
【背景技術】
【０００２】
従来、通水管に取り付けることによって、その通水管内を通る水に磁力を作用させて、水の活性化度を向上させる水活性化装置が知られている（例えば、特許文献１参照。）。
【特許文献１】特許第３４６９５４１号公報
【発明の開示】
【発明が解決しようとする課題】
【０００３】
しかしながら、上記特許文献１の場合、水活性化装置は、メータボックス内などの給水管に取り付けられて、各住宅や居室毎の水道水の活性化処理を行うことはできるものの、任意の場所で少量の水の活性化処理を行うことには不向きであるという問題があった。
【０００４】
本発明の目的は、ユーザが所望する場所で水活性化処理を行うことができる水活性化装置を提供することである。
【課題を解決するための手段】
【０００５】
以上の課題を解決するため、請求項１に記載の発明は、水活性化装置であって、
Ｎ極の磁気作用面と、Ｓ極の磁気作用面とを対向させる一対の永久磁石と
前記各永久磁石毎に、前記磁気作用面を挟みその磁気作用面に対して略垂直に配される一対の非磁性導電性金属板と、
前記各永久磁石毎に、前記永久磁石の磁気作用面の反対面側に配されて、その両端部が前記非磁性導電性金属板と略平行に前記磁気作用面側に折曲されているヨークと、
前記一対の永久磁石におけるＮ極の磁気作用面とＳ極の磁気作用面との間を通過するように配されて、一方の端部が他方の端部より大きく開口する管状部材と、
を備えることを特徴とする。
【０００６】
請求項２に記載の発明は、請求項１に記載の水活性化装置において、
前記Ｎ極の磁気作用面を有する永久磁石とその永久磁石に配される前記一対の非磁性導電性金属板と前記ヨークと、前記Ｓ極の磁気作用面を有する永久磁石とその永久磁石に配される前記一対の非磁性導電性金属板と前記ヨークとは、それぞれ異なるハウジングに収容され、
前記Ｎ極の磁気作用面を有する永久磁石が収容された一方のハウジングと、前記Ｓ極の磁気作用面を有する永久磁石が収容された他方のハウジングとの間に、前記管状部材が着脱可能に備えられることを特徴とする。
【０００７】
請求項３に記載の発明は、請求項２に記載の水活性化装置において、
前記管状部材の他方の端部には、当該管状部材が一方の端部側に抜け出ないように前記ハウジングに当接するストッパ部が形成されていることを特徴とする。
【発明の効果】
【０００８】
本発明によれば、水活性化装置が備える管状部材に水を流し入れて、その水活性化装置における一対の永久磁石のＮ極の磁気作用面とＳ極の磁気作用面との間を通過させた処理水を得るようにして、水の活性化処理を行うことができる。
特に、ユーザは任意の場所において、水活性化装置の管状部材に水を流し通すようにして、水の活性化処理を行うことができる。
つまり、従来の水活性化装置のように給水管に取り付けて大掛かりに使用するのではなく、本発明に係る水活性化装置は、ポータブルタイプの水活性化装置として使用することができるので、ユーザは、この水活性化装置を用いて所望する場所で水活性化処理を行うことができる。
そして、この水活性化装置における一対の永久磁石間の磁気作用面間に水を通過させることによって、磁力と電子の相乗効果による水の活性化処理を行うことができ、磁力のみの活性化方法よりも活性化度の高い水を得ることができる。
【発明を実施するための最良の形態】
【０００９】
以下、図を参照して、本発明に係る水活性化装置について詳細に説明する。なお、発明の範囲は、図示例に限定されない。
【００１０】
水活性化装置１００は、図１〜図３に示すように、一対の装置本体１０、１０と、管状部材である漏斗部材２０とを備えている。
そして、一対の装置本体１０、１０の間に漏斗部材２０を挟み込むように配設することで、水活性化装置１００が構成されるようになっている。
また、一対の装置本体１０、１０を引き離すことによって、挟み込まれた漏斗部材２０を取り外すことができる。つまり、漏斗部材２０は、水活性化装置１００に着脱可能に備えられている。
この水活性化装置１００における一対の装置本体１０、１０は、挟み込んだ漏斗部材２０に対して磁気を作用させ、漏斗部材２０は、一対の装置本体１０、１０の間に水を流して通過させることを可能にしており、水活性化装置１００は、漏斗部材２０内を流れる水に磁気を作用させて、水を活性化させる水活性化処理を行う装置である。
【００１１】
装置本体１０は、図４〜図６に示すように、永久磁石１と、永久磁石１を挟んで配される一対の非磁性導電性金属板２、２と、永久磁石１の後面側と非磁性導電性金属板２、２を囲うように配される断面視略コ字形状を呈するヨーク３と、永久磁石１と非磁性導電性金属板２、２とヨーク３とを内部に収容するハウジング４と、ハウジング４内の空間に充填された充填部材５等を備えている。そして、この装置本体１０は、図４に示すように、略下駄様の外形形状を呈している。
【００１２】
永久磁石１は、例えば、略直方体形状を呈するネオジム磁石であって、その一の面である前面に、一対の装置本体１０、１０の間に挟み込んだ漏斗部材２０に向けて磁気を作用させる面である、磁石のＮ極またはＳ極に相当する磁気作用面１ａを有している。
なお、水活性化装置１００における一対の装置本体１０、１０のうち、一方の装置本体１０に備えられる永久磁石１の磁気作用面１ａはＮ極、他方の装置本体１０に備えられる永久磁石１の磁気作用面１ａはＳ極とされている。
【００１３】
一対の非磁性導電性金属板２、２は、永久磁石１の磁気作用面１ａを挟んで対向しており、その磁気作用面１ａに対して略垂直な配置となるように永久磁石１の側面に配されている。なお、一対の非磁性導電性金属板２、２の一端側は、磁気作用面１ａ側からその面と略垂直な方向に延在している。
この非磁性導電性金属板２は、例えば、銅板など電位の高い金属板であることが好ましい。
【００１４】
ヨーク３は、例えば、軟鉄板が折り曲げられて断面視略コ字形状に成型されてなる、永久磁石１の吸着力を増幅させる部材であって、永久磁石１の磁気作用面１ａの反対面１ｂ側に当接される基板部３ｂと、非磁性導電性金属板２と略平行となるように磁気作用面１ａ側に折曲された両端部３ａ、３ａを有している。
【００１５】
ハウジング４は、ハウジング本体４ａと、ハウジング本体４ａに嵌合する蓋体４ｂとからなり、ハウジング本体４ａに永久磁石１と一対の非磁性導電性金属板２、２とヨーク３とを収めて、ハウジング本体４ａの開口に蓋体４ｂを嵌合させて密閉することによって、ハウジング４の内部に永久磁石１と一対の非磁性導電性金属板２、２とヨーク３とを収容することができる。
このハウジング４（ハウジング本体４ａ、蓋体４ｂ）は、例えば、ＡＢＳ樹脂が成型された部材であって、例えば、銅メッキ、ニッケルメッキ、クロムメッキの３層のメッキ層によって被覆されている。
【００１６】
ハウジング本体４ａは、永久磁石１と一対の非磁性導電性金属板２、２とヨーク３とを内側に収容するケース体であり、半円形のアーチ状の凹部４０と、その凹部４０を挟んで先端が平坦に形成された固定端部４１、４１を有する外形形状（略下駄様形状）を呈している。そして、ハウジング本体４ａ内に永久磁石１とともに収容された一対の非磁性導電性金属板２、２の一端側と、ヨーク３の両端部３ａ、３ａの先端側が、それぞれ固定端部４１、４１に相当するハウジング本体４ａの内側の位置に配されるようになっている。
また、半円形のアーチ状を呈する凹部４０の曲面形状は、漏斗部材２０のサイズや太さであって、後述する通水管部２０ａの外径のサイズや太さに対応して形成されている。具体的には、水活性化装置１００の使用形態をなすように一対の装置本体１０、１０を組み合わせて、一対のハウジング４、４のそれぞれの凹部４０を向かい合わせた際に、そのハウジング４間における凹部４０の間に形成される略円柱状の空洞が、漏斗部材２０の通水管部２０ａの外径のサイズ（太さ）となる形状に、凹部４０は形成されている。
【００１７】
蓋体４ｂは、ハウジング本体４ａの開口を閉じるケース体の一部であって、この蓋体４ｂには、ハウジング本体４ａ内の空気及び流動性の充填材をハウジング４の外に排出可能な貫通孔４ｈが設けられている。
【００１８】
充填部材５は、ハウジング４の内部空間であって、ハウジング４の内側に収容された永久磁石１と一対の非磁性導電性金属板２、２とヨーク３との隙間などに充填された流動性の充填材が固化されて形成された部材であって、例えば、シリコーン樹脂を充填して形成することができる。この充填部材５は、永久磁石１と非磁性導電性金属板２とヨーク３を覆い、被覆している。
具体的に、この充填部材５を形成する場合、例えば、永久磁石１に対して仮接着した一対の非磁性導電性金属板２、２とヨーク３とを、その永久磁石１とともにハウジング本体４ａ内に収容し、そのハウジング本体４ａ内の空間であって、ハウジング本体４ａ内における永久磁石１と、一対の非磁性導電性金属板２、２と、ヨーク３と、ハウジング本体４ａとの隙間に、流動性の充填材を流し込むように充填する。そして、ハウジング本体４ａ内における余分な充填材と空気を、蓋体４ｂに設けられた貫通孔４ｈから排出させつつ、蓋体４ｂをハウジング本体４ａに嵌合させてハウジング４を組み立てて、その充填材を固化させることで、永久磁石１と一対の非磁性導電性金属板２、２とヨーク３とを覆った充填部材５を形成することができる。
【００１９】
このように、水活性化装置１００（装置本体１０）におけるハウジング４内の空間や隙間に流動性の充填材を流し込んだり、蓋体４ｂの貫通孔４ｈから余分な充填材を排出させたりすることによって、ハウジング４内の隅々まで流動性の充填材を充填することができるので、装置本体１０のハウジング４内に隙間なく充填部材５を形成することができる。
そして、この充填部材５が、装置本体１０における永久磁石１や非磁性導電性金属板２やヨーク３を被覆するように、ハウジング４内に隙間なく設けられていることによって、ハウジング４の内部に外部から水分などが浸入してしまうことや、充填部材５に覆われた永久磁石１や非磁性導電性金属板２やヨーク３に外部からの水分などが付着してしまうことはなく、水分などにより永久磁石１や非磁性導電性金属板２やヨーク３に錆などが生じることによる劣化を防止することができるので、装置本体１０の磁気性能に伴う水活性化性能を長期に亘って安定して維持することができる。
また、配設した充填部材５によってハウジング４の内部における永久磁石１などのがたつきを防止することもできるので、永久磁石１と非磁性導電性金属板２とヨーク３の配置にずれや歪みが生じてしまうことや、永久磁石１に割れ欠けが生じてしまうことを低減することができ、装置本体１０の磁気性能に伴う水活性化性能を維持することができる。
【００２０】
漏斗部材２０は、水活性化装置１００における一対の装置本体１０、１０の間に挟み込まれて、一方の装置本体１０に備えられる永久磁石１のＮ極の磁気作用面１ａと、他方の装置本体１０に備えられる永久磁石１のＳ極の磁気作用面１ａとの間を通過するように配設されている。
この漏斗部材２０の管内を流される水は、水活性化装置１００における一対の装置本体１０、１０の間であって、一方の永久磁石１のＮ極の磁気作用面１ａと他方の永久磁石１のＳ極の磁気作用面１ａとの間を通過して流れるようになっている。
具体的には、漏斗部材２０は、一対の装置本体１０、１０の間に挟持される通水管部２０ａと、通水管部２０ａの一方の端部側であってその開口がラッパ状に広がった注水口２０ｂと、通水管部２０ａの他方の端部側であって注水端部２０ｂから注ぎ入れられた水が流れ出る流出口２０ｃとを有している。なお、流出口２０ｃの近傍には、通水管部２０ａより一段太く形成されたストッパ部２０ｄが設けられている。
そして、この漏斗部材２０の通水管部２０ａが、一対の装置本体１０、１０の間に挟持された際に、注水口２０ｂは装置本体１０、１０の間から上方に延出し、流出口２０ｃは装置本体１０、１０の間から下方に延出する。
なお、漏斗部材２０が、一対の装置本体１０、１０の間に挟み込まれた際に、流出口２０ｃ側のストッパ部２０ｄは、水活性化装置１００における一対のハウジング４、４に当接するので、漏斗部材２０が注水口２０ｂ側に抜け出てしまわないようになっている。
【００２１】
次に、水活性化装置１００を用いた水の活性化処理について説明する。
【００２２】
まず、永久磁石１の磁気作用面１ａがＮ極である装置本体１０と、磁気作用面１ａがＳ極である装置本体１０を一組にして、その一対の装置本体１０、１０で漏斗部材２０を挟み込んで、その漏斗部材２０がＮ極の磁気作用面１ａとＳ極の磁気作用面１ａとの間を通過するように配設して、図２、図３に示すように、水活性化装置１００を組み立てる。この際、ハウジング４の凹部４０に通水管部２０ａを挟み込むとともに、固定端部４１同士を付き合わせるようにして、水活性化装置１００を組み立てる。
そして、この一対の装置本体１０、１０におけるそれぞれの永久磁石１の磁気作用面１ａはそれぞれＮ極、Ｓ極であり、それぞれの磁力の吸着力によって一対の装置本体１０、１０は互いに引き付け合うので、漏斗部材２０の通水管部２０ａを挟んだ一対の装置本体１０、１０が互いの磁力で磁着するようにして、水活性化装置１００が組み上がる。
【００２３】
そして、図７に示すように、互いの磁力で引き付け合い、漏斗部材２０の通水管部２０ａに対して固定された一対の装置本体１０、１０からなる水活性化装置１００において、一方の装置本体１０の永久磁石１の磁気作用面１ａから、他方の装置本体１０の永久磁石１の磁気作用面１ａに向けて、磁力線Ｂ（磁束Ｂ）が生じている。
この磁力線Ｂが作用する通水管部２０ａ内に、注水口２０ｂから注ぎ入れられた水が矢印Ｆの方向に流れると、その流水の方向（矢印Ｆ）と直交し、磁力線Ｂの方向とも直交する矢印Ｉの方向に起電流が発生する。
この起電流（矢印Ｉ）の強度Ｅは、磁束密度Ｂと流水の流速Ｖに比例するものであり、次式により表すことができる。
Ｅ＝ｋ・Ｂ・Ｖ（但し、Ｅは起電流の強度、ｋは定数、Ｂは磁束密度、Ｖは流水の流速）
【００２４】
このように生じる起電流を放電損失のないように誘導帯電させ、この帯電によって発生する電子を流水中に効率よく放出させるために、ヨーク３と永久磁石１の間に非磁性導電性金属板２が備えられている。
この一対の非磁性導電性金属板２、２は、電位の高い金属であって、元素の周期表でＩＢ族に属する銅で構成されており、一対の非磁性導電性金属板２、２の間に生じた磁力線Ｂを、対向する非磁性導電性金属板２、２の中心方向に押しやる性質があるので、その中心側の磁力線Ｂは高密度化し、磁束密度Ｂが高まり、起電流の発生が増進される。
また、発生した起電流は非磁性導電性金属板２に遮断されて、非磁性導電性金属板２を通過することができないので、非磁性導電性金属板２に誘導帯電された電子が効率よく流水中に放出される。なお、帯電によって発生した電子は、一方の非磁性導電性金属板２から他方の非磁性導電性金属板２に向かうように、起電流の向きとは逆向き（矢印Ｉとは反対向き）に放出される。
また、この非磁性導電性金属板２は、ヨーク３を構成する磁性金属（軟鉄）より電位が高いため、接触電池作用によりヨーク３の内側であって一対の非磁性導電性金属板２、２の内側の電位は一層高まり、発生する電子を反発してさらに効率よく流水中に放出する。
【００２５】
漏斗部材２０の通水管部２０ａ内の流水中に放出された電子は、水分子（Ｈ２Ｏ）の一部を構成する酸素が電子受容体であるため、この酸素に電荷を与えることで水の双極性を高める役割を果たす。これにより、水分子における水素原子の結合角が広くなり、水分子間の集合密度が増加して水分子集合体（クラスター）が小さくなって、流水はマイナスの電化を帯びて酸化還元電位を下げ、還元水となって水の活性化を促す。
なお、クラスターの発生は水素結合に起因するものであるが、電子リッチになると水分子の酸素原子中の電子と自由電子とが反発するので、ファンデルワールスの水の結合力よりこの反発力が勝ったとき、水素結合が切れてクラスターが微細化し、水分子のブラウン運動が活発になる。同時に、流水中に放出された電子は水中の溶存酸素に電荷を与えて酸素アニオンを生成し（Ｏ＋ｅ−→Ｏ−）、これが水と反応してヒドロキシルラジカルを形成し（Ｏ−＋Ｈ２Ｏ→２ＯＨ）、これによって被処理水を弱アルカリ化する。
このように、水活性化装置１００を用いれば、永久磁石１による磁気的な活性化と、電子による電気化学的な活性化とが行われ、磁力と電子の相乗作用によって、磁力のみの活性化方法よりもはるかに優れた水の活性化処理が行われることになる。
なお、漏斗部材２０内を流されて活性化処理された水は、漏斗部材２０の流出口２０ｃから流れ出るので、その処理水をコップやボトルなどの容器で受けるようにして得るようにする。
【００２６】
以上のように、本発明に係る水活性化装置１００であれば、装置が備える漏斗部材２０の注水口２０ｂから水を流し入れて通水管部２０ａ内を通し、流出口２０ｃから流れ出る処理水を得るようにして、水の活性化処理を行うことができる。
つまり、従来の水活性化装置のように水道管に取り付けて大掛かりに使用するのではなく、本発明に係る水活性化装置１００は、ポータブルタイプの水活性化装置として使用することができるので、ユーザは、水活性化装置１００を用いて所望する場所で水活性化処理を行うことができる。
特に、ユーザは、コップ１杯分の水であっても、水活性化装置１００を用いて所望する場所で水の活性化処理を行うことができるので、公園やキャンプ地など野外の任意の場所においても、この水活性化装置１００を用いて、水筒などの水の活性化処理を行うことができる。
また、この水活性化装置１００に漏斗部材２０は着脱自在に備えられているので、所望する形状や大きさの漏斗部材２０に交換して使用することができ、例えば、処理水の用途や容量に応じた漏斗部材２０を用いて、好適に水活性化処理を行うことができる。
【００２７】
そして、この水活性化装置１００による水活性化処理によれば、磁力と電子の相乗効果によって水の活性化が顕著に行われ、磁力のみの従来の活性化方法よりもはるかに活性化度の高い水を得ることができる。
【００２８】
なお、以上の実施の形態においては、水活性化装置１００が一対の装置本体１０、１０と漏斗部材２０とに分離可能な構成を例に挙げて説明したが、本発明はこれに限定されるものではなく、水活性化装置１００に漏斗部材２０が一体的に設けられている構造を有していてもよい。
【００２９】
また、以上の実施の形態においては、非磁性導電性金属板２に銅板を適用して説明したが、本発明はこれに限定されるものではなく、非磁性導電性金属板２は、元素の周期表でＩＢ族に属する銅、銀、金の単独鍍金、またはこれらの金属の複合鍍金、もしくはこれらの金属の薄板を張り合わせた複合金属板などであってもよい。
【００３０】
また、以上の実施の形態においては、ヨーク３に磁性金属である軟鉄を適用して説明したが、本発明はこれに限定されるものではなく、ヨーク３は、磁性セラミックにより成型されたものであってもよい。
【００３１】
また、以上の実施の形態においては、水活性化装置１００における漏斗部材２０の通水管部２０ａ内を流れる水を活性化させる場合を例に挙げて説明したが、本発明はこれに限定されるものではなく、例えば、水活性化装置１００は、水を含んだ溶液（水溶液）であれば活性化させることができるので、例えば、お茶、ジュース、酒、ワイン、化粧水などを水活性化装置１００の漏斗部材２０に流して活性化させるように使用してもよい。
【００３２】
また、以上の実施の形態においては、水活性化装置１００における漏斗部材２０に水や溶液を通して活性化する処理について説明したが、本発明はこれに限定されるものではなく、例えば、漏斗部材２０は水活性化装置１００に着脱可能に備えられているので、この水活性化装置１００から漏斗部材２０を取り外した一対の装置本体１０、１０をユーザが所望する位置に取り付けて、任意の位置において活性化処理に使用することができる。
例えば、家庭におけるキッチンや洗面所の給水管や蛇口、また洗濯機やトイレにつながる通水管や水道管などに取り付けて使用することができる。また、旅行などの外出先（ホテル等）や、オフィスや知人宅に持ち込んで、その場所の水道等に取り付けて使用することができる。また、浴室のシャワーホースや、庭や畑などに水を撒くためのゴムホースや散水チューブを挟み込むように、一対の装置本体１０、１０を磁着により取り付けて使用することができる。
また、一対の装置本体１０、１０を、管やパイプやチューブに取り付けて、その管中を流れる水や水溶液を活性化させることに限らず、例えば、一対の装置本体１０、１０をボトルやコップなどの容器に取り付けて、その容器に入った水や水溶液を活性化させるようにしてもよい。
【００３３】
また、その他、具体的な細部構造等についても適宜に変更可能であることは勿論である。
【図面の簡単な説明】
【００３４】
【図１】本発明に係る水活性化装置を示す分解斜視図である。
【図２】本発明に係る水活性化装置を示す斜視図である。
【図３】本発明に係る水活性化装置を示す側面図である。
【図４】水活性化装置の装置本体を示す斜視図である。
【図５】装置本体を蓋体側から見た平面図である。
【図６】図５のVI−VI線における断面図である。
【図７】図３のVII−VII線における断面図である。
【符号の説明】
【００３５】
１      永久磁石
１ａ    磁気作用面
２      非磁性導電性金属板
３      ヨーク
３ａ    両端部
４      ハウジング
４ａ    ハウジング本体
４ｂ    蓋体
４ｈ    貫通孔
４０    凹部
４１    固定端部
５      充填部材
１０    装置本体
２０    漏斗部材（管状部材）
２０ａ  通水管部
２０ｂ  注水口（一方の端部）
２０ｃ  流出口（他方の端部）
２０ｄ  ストッパ部
１００  水活性化装置
【図１】
2008264648.tif 000003
【図２】
2008264648.tif 000004
【図３】
2008264648.tif 000005
【図４】
2008264648.tif 000006
【図５】
2008264648.tif 000007
【図６】
2008264648.tif 000008
【図７】
2008264648.tif 000009